【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
遊技機と、前記遊技機での遊技を可能にする遊技用装置とを備える遊技用システムであって、
前記遊技機は、
前記遊技用装置による所定の動作を要求する動作要求電文を送信するか当該動作要求電文以外の電文を送信するかで異なる更新情報を含む電文を送信する電文送信手段と、
前記動作要求電文の送信後に電文を受信したときに、受信電文に含まれる更新情報が前記動作要求電文に含めて送信した更新情報を所定情報で更新して得られる情報と一致する場合には要求承諾と判定し、不一致の場合には要求承諾以外と判定する電文判定手段とを含み、
前記電文送信手段は、電文の送信順が特定可能な送信順情報を更新情報と別に各電文に含めて送信し、
前記遊技用装置は、
前記動作要求電文を受信したときに、要求を承諾するか否かを判定する承諾判定手段と、
前記承諾判定手段が要求の承諾判定をしたときに承諾電文を送信し、前記承諾判定手段が要求の拒否判定をしたときに拒否電文を送信する応答電文送信手段とを含み、
前記応答電文送信手段は、
前記動作要求電文に含まれて送信されてきた更新情報を所定情報で更新して得られた情報を、前記承諾電文の更新情報として送信し、
前記動作要求電文に含まれて送信されてきた更新情報を所定情報で更新せずに前記拒否電文の更新情報として送信し、
電文の送信順が特定可能な送信順情報を更新情報と別に各電文に含めて送信する、遊技用システム。
【請求項２】
遊技を可能にするための遊技制御装置であって、
遊技機と通信可能に接続される遊技用装置による所定の動作を要求する動作要求電文を送信するか当該動作要求電文以外の電文を送信するかで異なる更新情報を含む電文を送信する電文送信手段と、
前記動作要求電文の送信後に電文を受信したときに、受信電文に含まれる更新情報が前記動作要求電文に含めて送信した更新情報を所定情報で更新して得られる情報と一致する場合には要求承諾と判定し、不一致の場合には要求承諾以外と判定する電文判定手段とを含み、
前記電文送信手段は、電文の送信順が特定可能な送信順情報を更新情報と別に各電文に含めて送信する、遊技制御装置。
【請求項３】
遊技を可能にするための遊技制御装置であって、
遊技機と通信可能に接続される遊技用装置による所定の動作を要求する動作要求電文を受信したときに、要求を承諾するか否かを判定する承諾判定手段と、
前記承諾判定手段が要求の承諾判定をしたときに承諾電文を送信し、前記承諾判定手段が要求の拒否判定をしたときに拒否電文を送信する応答電文送信手段とを含み、
前記応答電文送信手段は、
前記動作要求電文に含まれて送信されてきた更新情報を所定情報で更新して得られた情報を、前記承諾電文の更新情報として送信し、
前記動作要求電文に含まれて送信されてきた更新情報を所定情報で更新せずに前記拒否電文の更新情報として送信し、
電文の送信順が特定可能な送信順情報を更新情報と別に各電文に含めて送信する、遊技制御装置。
【手続補正２】
【補正対象書類名】明細書
【補正対象項目名】０００９
【補正方法】変更
【補正の内容】
【０００９】
（１）  本発明は、遊技機（Ｐ台２、Ｓ台２Ｓ）と、前記遊技機での遊技を可能にする遊技用装置（ＣＵ３）とを備える遊技用システムであって、
前記遊技機は、
前記遊技用装置による所定の動作（持玉の加算動作）を要求する動作要求電文（計数要求ＯＮの状態情報応答）を送信するか当該動作要求電文以外の電文を送信するかで異なる更新情報（計数通番；計数要求ＯＮのときには元の計数通番に＋１したもの、計数要求ＯＦＦのときには元の計数通番）を含む電文を送信する電文送信手段（図１２、図１３、図２６、図２７参照）と、 
前記動作要求電文の送信後に電文を受信したときに、受信電文に含まれる更新情報が前記動作要求電文に含めて送信した更新情報を所定情報で更新して得られる情報と一致する場合には要求承諾と判定し、不一致の場合には要求承諾以外と判定する電文判定手段（図２６；要求通番がｍ＋２であれば要求承諾、ｍ＋１であれば要求拒否と判定）とを含み、
前記電文送信手段は、電文の送信順が特定可能な送信順情報を更新情報と別に各電文に含めて送信し、
前記遊技用装置は、
前記動作要求電文を受信したときに、要求を承諾するか否かを判定する承諾判定手段と、
前記承諾判定手段が要求の承諾判定をしたときに承諾電文を送信し、前記承諾判定手段が要求の拒否判定をしたときに拒否電文を送信する応答電文送信手段とを含み、
前記応答電文送信手段は、
前記動作要求電文に含まれて送信されてきた更新情報を所定情報で更新して得られた情報を、前記承諾電文の更新情報として送信し（図２６；要求承諾であればｍ＋２を送信し、要求拒否であればｍ＋１を送信）、
前記動作要求電文に含まれて送信されてきた更新情報を所定情報で更新せずに前記拒否電文の更新情報として送信し（図１４、図１５、図２６、図２７参照）、
電文の送信順が特定可能な送信順情報を更新情報と別に各電文に含めて送信する。
【手続補正３】
【補正対象書類名】明細書
【補正対象項目名】００１１
【補正方法】変更
【補正の内容】
【００１１】
（２）  本発明は、遊技を可能にするための遊技制御装置（Ｐ台２、Ｓ台２Ｓ（またはＣＵ３内のセキュリティチップ））であって、
遊技機と通信可能に接続される遊技用装置（ＣＵ３（またはＣＵ３内のＣＵ制御部））による所定の動作を要求する動作要求電文（計数要求ＯＮの状態情報応答）を送信するか当該動作要求電文以外の電文を送信するかで異なる更新情報（計数通番；計数要求ＯＮのときには元の計数通番に＋１したもの、計数要求ＯＦＦのときには元の計数通番）を含む電文を送信する電文送信手段（図１４、図１５、図２６、図２７参照）と、
前記動作要求電文の送信後に電文を受信したときに、受信電文に含まれる更新情報が前記動作要求電文に含めて送信した更新情報を所定情報で更新して得られる情報と一致する場合には要求承諾と判定し、不一致の場合には要求承諾以外と判定する電文判定手段（図２６；要求通番がｍ＋２であれば要求承諾、ｍ＋１であれば要求拒否と判定）とを含み、
前記電文送信手段は、電文の送信順が特定可能な送信順情報を更新情報と別に各電文に含めて送信する。
【手続補正４】
【補正対象書類名】明細書
【補正対象項目名】００１３
【補正方法】変更
【補正の内容】
【００１３】
（３）  本発明は、遊技を可能にするための遊技制御装置（ＣＵ３（またはＣＵ３内のセキュリティチップ））であって、
遊技機と通信可能に接続される遊技用装置による所定の動作を要求する動作要求電文を受信したときに、要求を承諾するか否かを判定する承諾判定手段と、
前記承諾判定手段が要求の承諾判定をしたときに承諾電文を送信し、前記承諾判定手段が要求の拒否判定をしたときに拒否電文を送信する応答電文送信手段とを含み、
前記応答電文送信手段は、
前記動作要求電文に含まれて送信されてきた更新情報を所定情報（＋１）で更新して得られた情報を、前記承諾電文の更新情報として送信し（たとえば、図１２では、受信したｍ＋１の計数通番に対してｍ＋２を返信）、
前記動作要求電文に含まれて送信されてきた更新情報を所定情報で更新せずに前記拒否電文の更新情報として送信し（たとえば、図１４では、受信したｍ＋１の計数通番に対してｍ＋１を返信）、
電文の送信順が特定可能な送信順情報を更新情報と別に各電文に含めて送信する。